(57)【要約】【課題】写真処理装置におけるオペレータの作業負担感を可及的に軽減する。【解決手段】写真フィルムの画像を読取るフィルム読取り装置ＦＲと、そのフィルム読取り装置ＦＲにて読取った画像データを一時的に記憶保持するメモリＭＥとが写真処理装置において、写真フィルム１本分の画像データのデータ量を特定するための基礎情報をフィルム種毎に記憶保持しておき、読取り動作の開始に伴ってフィルム読取り装置ＦＲから受け取る画像データのデータ量が、前記基礎情報に基づいて確保している記憶エリアの容量を超えるときに、送られてくる画像データのメモリＭＥへの記憶動作を停止させると共に、フィルム読取り装置ＦＲにおいて１本分の写真フィルムの長さ情報の検出を完了したときに、検出した長さ情報によって、読取り対象となっている写真フィルムのフィルム種についての前記基礎情報を更新する。【選択図】図１
2006186460.tif 000002
【特許請求の範囲】
【請求項１】
写真フィルムの画像を読取るフィルム読取り装置と、そのフィルム読取り装置にて読取った画像データを一時的に記憶保持するメモリと、そのメモリへの画像データの記憶動作を管理する記憶動作管理装置と、前記メモリに記憶保持した画像データを画像処理する画像処理装置と、その画像処理装置による処理条件を入力操作するための入力操作手段と、前記画像処理装置にて処理された画像データを出力処理する画像出力装置とが備えられた写真処理装置であって、
前記フィルム読取り装置は、装填された写真フィルムの長さ情報を、写真フィルムの読取り動作と連動して検出可能に構成され、
前記記憶動作管理装置は、
写真フィルム１本分の画像データのデータ量を特定するための基礎情報をフィルム種毎に記憶保持し、
前記フィルム読取り装置による読取り動作の開始時に、前記基礎情報に基づいて前記フィルム読取り装置から受け取る１本分の写真フィルムの画像データを記憶保持するための記憶エリアを前記メモリに確保し、
前記読取り動作の開始に伴って前記フィルム読取り装置から受け取る１本分の写真フィルムの画像データのデータ量が、その画像データを記憶保持するために前記メモリに確保している記憶エリアの容量を超えるときに、前記フィルム読取り装置から送られてくる画像データの前記メモリへの記憶動作を停止させると共に、前記フィルム読取り装置において１本分の写真フィルムの長さ情報の検出を完了したときに、検出した長さ情報によって、読取り対象となっている写真フィルムのフィルム種についての前記基礎情報を更新し、
その更新された基礎情報によって前記メモリの記憶エリアを確保して、前記フィルム読取り装置によって再度読取られた写真フィルム１本分の画像データを記憶保持するように構成されている写真処理装置。
【請求項２】
前記記憶動作管理装置は、前記基礎情報の初期値を手動入力によって受け付けるように構成されている請求項１記載の写真処理装置。
【請求項３】
前記フィルム読取り装置は、前記記憶動作管理装置からの指示に基づいて、出力した画像データのデータ量がその画像データの記憶保持のために前記メモリに確保している記憶エリアの容量を超えたときに、写真フィルムの画像の読取りを停止し且つその写真フィルムの長さ情報の取得処理を継続するように構成されている請求項１又は２記載の写真処理装置。
【発明の詳細な説明】
【技術分野】
【０００１】
本発明は、写真フィルムの画像を読取るフィルム読取り装置と、そのフィルム読取り装置にて読取った画像データを一時的に記憶保持するメモリと、そのメモリへの画像データの記憶動作を管理する記憶動作管理装置と、前記メモリに記憶保持した画像データを画像処理する画像処理装置と、その画像処理装置による処理条件を入力操作するための入力操作手段と、前記画像処理装置にて処理された画像データを出力処理する画像出力装置とが備えられた写真処理装置に関する。
【背景技術】
【０００２】
かかる写真処理装置は、写真フィルムの撮影画像をフィルム読取り装置にて読取って、画像処理装置にて高品質の画像データへと処理した後に、その画像処理後の画像データを例えば、写真プリント装置にてプリント出力したり、あるいは、各種の記録媒体へ書込み処理する装置である。
フィルム読取り装置による写真フィルムの読取り形態としては、比較的に粗い読取り解像度で写真フィルム１本分の画像データを取込むプレスキャンを行った後、高い読取り解像度で写真フィルムを読取る本スキャンを行う読取り形式が存在する。
この読取り形態では、プレスキャンでの読取り画像データを、本スキャンにおける写真フィルムの読取り条件の設定、本スキャンで読取る駒画像の特定、及び、本スキャンで読取った駒画像の画像処理条件の設定等に利用する。
このような形式で写真フィルムの画像データを取込むと、本スキャンで取込んだ画像データを直ちに画像処理して出力できるので、フィルム読取り装置から送られて来た画像データを一時的に記憶保持しておくためのメモリの搭載量を最小限にすることができる。
その反面、２回のフィルム読取り動作が必要となる上、１本の写真フィルムについて処理が完全に完了しないと、後続の写真フィルムの処理へ移行できないため、写真処理装置の処理能力が低下してしまう不都合がある。
【０００３】
そこで、下記特許文献１にも記載のような、１本の写真フィルムの読取り作業を高い読取り解像度で一度だけ実行する読取り形態も考えられている。
このような読取り形態で処理能力を向上させるために、従来、写真フィルム１本分の記憶容量を有するメモリを２セット備えて、一方のメモリに読取り画像データが記憶保持された先行する写真フィルムの処理が完了する前に、他方のメモリに後続の写真フィルムの読取り画像データを書込み処理できるように構成している。
【特許文献１】特開２０００−１８４１９１号公報
【発明の開示】
【発明が解決しようとする課題】
【０００４】
しかしながら、上記従来構成では、全体としての処理効率は向上するものの、２セットのメモリを使用して交互に読取り画像データを書込んで行く関係で、メモリに取込んだ画像データについてオペレータが画像処理の処理条件を設定する作業と、写真フィルムの読取りの開始作業とを交互に実行することを強制されることになり、場合によっては、オペレータの作業負担感を過度に増大させてしまう不都合があった。
すなわち、フィルム読取り装置は複数のフィルム種に対応できるように構成されており、この複数のフィルム種としては、写真フィルムの規格上での長さが異なる複数のフィルム種や、更には、同じ規格の写真フィルムであっても、１本の写真フィルムを例えば６駒単位の複数のピースフィルムに切断して取り扱うことが慣例化しているような場合においては、元の１本の写真フィルムと各ピースフィルムとでフィルム種が異なる。
従って、写真処理装置において写真フィルムを処理するための作業時間も、そのフィルム種の相違によって長短が存在し、取り扱うフィルム種によっては、オペレータが画像処理装置の処理条件の設定作業と写真フィルムの読取りの開始作業とを頻繁に繰り返すことを強いることになるのである。
本発明は、かかる実情に鑑みてなされたものであって、その目的は、写真処理装置におけるオペレータの作業負担感を可及的に軽減する点にある。
【課題を解決するための手段】
【０００５】
本出願の第１の発明は、写真フィルムの画像を読取るフィルム読取り装置と、そのフィルム読取り装置にて読取った画像データを一時的に記憶保持するメモリと、そのメモリへの画像データの記憶動作を管理する記憶動作管理装置と、前記メモリに記憶保持した画像データを画像処理する画像処理装置と、その画像処理装置による処理条件を入力操作するための入力操作手段と、前記画像処理装置にて処理された画像データを出力処理する画像出力装置とが備えられた写真処理装置において、前記フィルム読取り装置は、装填された写真フィルムの長さ情報を、写真フィルムの読取り動作と連動して検出可能に構成され、前記記憶動作管理装置は、写真フィルム１本分の画像データのデータ量を特定するための基礎情報をフィルム種毎に記憶保持し、前記フィルム読取り装置による読取り動作の開始時に、前記基礎情報に基づいて前記フィルム読取り装置から受け取る１本分の写真フィルムの画像データを記憶保持するための記憶エリアを前記メモリに確保し、前記読取り動作の開始に伴って前記フィルム読取り装置から受け取る１本分の写真フィルムの画像データのデータ量が、その画像データを記憶保持するために前記メモリに確保している記憶エリアの容量を超えるときに、前記フィルム読取り装置から送られてくる画像データの前記メモリへの記憶動作を停止させると共に、前記フィルム読取り装置において１本分の写真フィルムの長さ情報の検出を完了したときに、検出した長さ情報によって、読取り対象となっている写真フィルムのフィルム種についての前記基礎情報を更新し、その更新された基礎情報によって前記メモリの記憶エリアを確保して、前記フィルム読取り装置によって再度読取られた写真フィルム１本分の画像データを記憶保持するように構成されている。
【０００６】
すなわち、フィルム読取り装置から読取り画像データをメモリへ取込む際に、メモリに確保するべき記憶エリアをフィルム種毎に管理している。
従来の２セットのメモリの夫々を１本分の写真フィルムの画像データの記憶のために固定的に割り当てる手法では必要な記憶容量が小さい短尺の写真フィルムであっても全メモリ空間の１／２を占有してしまうのに対して、上記のようにフィルム種毎に管理することで、１本分の写真フィルムの読取り画像データをメモリに記憶させるのに必要以上の記憶容量を占有してしまうのを回避できるので、取り扱うフィルム種によっては３本以上の写真フィルムの記憶保持を可能としており、これによって、複数本の写真フィルムの画像データを連続してフィルム読取り装置から取込むことができ、更に、その複数本の写真フィルムの画像について画像処理装置の処理条件の設定作業を連続して行うことができる。
しかも、メモリに確保した記憶エリアの記憶容量が、実際に読取りを開始したフィルム読取り装置から送られてくる読取り画像データのデータ量を下回るときには、その読取り動作において写真フィルムの長さ情報の検出のみを行い、その検出結果に基づいて対応するフィルム種の前記基礎情報を更新することで、前記基礎情報を写真処理装置における実際の処理状況によって学習して行く。
これによって、写真フィルムの読取り動作を有効に活用しながら、写真フィルムの読取りのためにメモリに確保する記憶容量が写真処理装置の実際の処理状況に即した適切な値に収斂していくことになる。
【０００７】
又、本出願の第２の発明は、上記第１の発明の構成に加えて、前記記憶動作管理装置は、前記基礎情報の初期値を手動入力によって受け付けるように構成されている。
すなわち、上述のように各フィルム種毎の前記基礎情報は、使用実績の蓄積によって学習されて適切な値に収斂するので、初期値については任意の情報を固定的に設定しておいても良いのであるが、例えば、写真処理装置を店舗に設置して初期調整等を行う際に、その店舗での取扱い実績の情報から前記基礎情報の初期値を手動設定することで、写真処理装置の稼働開始から前記基礎情報が適切な値に収斂するまでの期間を短くすることができる。
【０００８】
又、本出願の第３の発明は、上記第１又は第２の発明の構成に加えて、前記フィルム読取り装置は、前記記憶動作管理装置からの指示に基づいて、出力した画像データのデータ量がその画像データの記憶保持のために前記メモリに確保している記憶エリアの容量を超えたときに、写真フィルムの画像の読取りを停止し且つその写真フィルムの長さ情報の取得処理を継続するように構成されている。
すなわち、メモリに確保した記憶エリアの記憶容量が、実際に読取りを開始したフィルム読取り装置から送られてくる読取り画像データのデータ量を下回るときには、フィルム読取り装置で写真フィルムの画像の読取りを継続しても無駄な動作となってしまうので、長さ情報の検出のみを継続する。
【発明の効果】
【０００９】
上記第１の発明によれば、複数本の写真フィルムの画像データを連続してフィルム読取り装置から取込むことができ、その複数本の写真フィルムの画像について画像処理条件の設定作業を連続して行えるので、写真処理装置におけるオペレータの作業負担感を可及的に軽減することができる。
しかも、写真処理装置の使用状況に即して、メモリに記憶エリアを確保するための前記基礎情報が自動的に学習されていくので、オペレータの作業負担を増大させることなく、的確なメモリ確保が可能となる。
【００１０】
又、上記第２の発明によれば、写真処理装置の稼働開始から前記基礎情報が適切な値に収斂するまでの期間を短くすることができるので、写真処理装置を一層便利なものとすることができる。
又、上記第３の発明によれば、フィルム読取り装置での無駄な写真フィルムの画像の読取りを回避することで、動作の効率化を図ることができる。
【発明を実施するための最良の形態】
【００１１】
以下、本発明の写真処理装置を写真プリントシステムとして構成した場合の実施の形態を図面に基づいて説明する。
本実施の形態で例示する写真プリントシステムＤＰは、いわゆるデジタルミニラボ機として知られているシステムであり、画像データを写真プリントとして出力処理する画像出力装置ＩＰであるプリント装置ＥＰと、写真フィルム等の各種のソースから画像データを取込んでプリント装置ＥＰへ送る画像データを生成する画像入力装置ＩＲとを主要部として構成されている。
【００１２】
〔画像入力装置ＩＲの概略構成〕
画像入力装置ＩＲには、図２に概略的に示すように、写真フィルムの画像を読取るフィルム読取り装置ＦＲであるフィルムスキャナ３と、パーソナルコンピュータにて構成される主制御装置４と、フィルムスキャナ３にて読取った写真フィルムの画像データを画像処理する画像処理装置５とが備えられ、主制御装置４には、仕上がりプリント画像をシミュレートしたシミュレート画像や各種の制御用の情報を表示するモニタ４ａと、操作卓４ｂと、マウス４ｃとが接続されている。操作卓４ｂ及びマウス４ｃは、各種の制御情報の入力操作の他、画像処理装置５による処理条件（以下、「画像処理条件」と称する）を入力操作する入力操作手段ＩＭとしての機能も備えている。
【００１３】
本実施の形態のフィルムスキャナ３は、詳細な説明は省略するが、写真フィルムを長手方向に搬送してラインセンサにてその画像を読取るように構成されており、写真フィルムの画像をズームレンズにてラインセンサ上に結像させる。
このズームレンズを備えることで、複数の規格のフィルム種の読取りに対応すると共に、ラインセンサ上の像の大きさを調整して指定されたプリントサイズに対して適切な画素数で画像データを出力するようにも構成されている。
更に、フィルムスキャナ３には、写真フィルムの読取り動作時における写真フィルムの搬送長を測定することで、装填された写真フィルムの長さ情報を、写真フィルムの読取り動作と連動して検出する検出手段が備えられている。この検出手段としては、例えば、写真フィルムを搬送する搬送モータをパルスモータにて構成して、搬送モータの駆動パルス数をカウントすることによって搬送長を検出すれば良い。
尚、図示を省略しているが、主制御装置４には、ＣＤ−Ｒ／ＲＷドライブやメモリーカードリーダ／ライタ等の各種のドライブを備えて、それらが対応する記録媒体から画像データを取込んでプリント装置ＥＰにてプリント処理させたり、プリント処理させた画像データを記録媒体に記録して顧客に提供することができるように構成されている。
【００１４】
〔画像処理装置５の概略構成〕
画像処理装置５は、フィルムスキャナ３にて読取った画像データに基づいてプリント装置ＥＰにてプリント処理させたときに高品質なプリント画像が得られるように画像処理するための専用の処理装置である。
画像処理装置５には、図１に示すように、画像データを一時的に記憶保持する入力バッファメモリ２１と、入力バッファメモリ２１から読み込んだ画像データに対して色補正等の画像処理を実行する補正処理回路２２と、補正処理回路２２にて画像処理が完了した画像データを一時的に記憶保持する出力バッファメモリ２３と、入力バッファメモリ２１に記憶されている画像の縮小画像を生成する縮小画像生成回路２４と、入力バッファメモリ２１に対するデータの読み書きを制御するメモリコントローラ２５とが備えられる他、フィルムスキャナ３から送られてきた画像データを受け取るための送受信インターフェース２６、及び、主制御装置４とデータ通信を行うための送受信インターフェース２７が備えられている。
入力バッファメモリ２１は、フィルムスキャナ３にて読取った画像データを一時的に記憶保持するためのメモリＭＥとして備えられており、本実施の形態では、このメモリＭＥが画像処理装置５に内蔵される場合を例示している。
主制御装置４側では、送受信インターフェース２７と通信するために、通信用拡張基板３１が主制御装置４の本体基板３２に取り付けられている。
通信用拡張基板３１上には、画像処理装置５側の送受信インターフェース２７とデータ通信するための送受信インターフェース４１と、送受信インターフェース４１を介して入力された画像データを記憶する画像データ受信用の受信メモリ４２とが備えられている。
【００１５】
〔プリント装置ＥＰの全体構成〕
プリント装置ＥＰは、図２に示すように、筐体内部に、画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダ毎に分類するためのソータが備えられており、現像処理装置ＰＰから排出された印画紙２をそのソータへ搬送するためにコンベア８が配置されている。
更に、印画紙搬送系ＰＴの搬送経路の途中には、印画紙マガジン６から引き出された長尺の印画紙２を設定プリントサイズに切断するカッタ１０が備えられている。
【００１６】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
画像形成ヘッド１３から出射されるレーザビームは、露光制御装置１４の制御によって、画像処理装置５から入力された画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１７】
〔基本的なプリント動作〕
上記構成の写真プリントシステムＤＰによる基本的なプリント動作を、写真フィルムの読取り画像データに基づいて写真プリントを作製する場合について概説する。
写真フィルムの駒画像によって写真プリントを作製する際の処理過程は、写真フィルムの画像の読取り、読取った画像の画像処理装置５による処理条件の設定、確定した処理条件での画像データの補正処理、及び、プリント装置ＥＰによるプリント処理に大別できる。
このうち、写真フィルムの読取りと読取った画像の処理条件の設定とは、主制御装置４の直接の管理下で実行される。
オペレータの作業としては、通常、写真フィルムの読取り作業と画像処理条件の設定作業とは交互に実行されるが、本実施の形態では、例えば６駒のピースネガフィルムのように写真フィルム１本当たりの画像データのデータ量が少ない写真フィルムを取り扱う場合では、写真フィルムの読取り作業等を複数本の写真フィルムに対して連続して行えるように構成している。
【００１８】
このため、主制御装置４は、写真フィルムの読取りと読取った画像の画像処理条件の設定とに関する処理を一連の処理フローに組み込むのではなく、２つの独立した処理として並行して実行できるように組み込んでいる。
具体的には、主制御装置４は、図３に「フィルム読取り処理」として示すフローチャートのプログラムと図４に「プリント処理」として示すフローチャートのプログラムとが独立に並行して実行できるように組み込まれている。
図３の処理は写真フィルムの読取りを担当し、図４の処理は画像処理条件の設定以降を担当している。
【００１９】
先ず、図３の処理について説明する。
写真フィルムの読取り作業は、画像処理条件の設定作業や画像処理装置５での画像処理の進捗状況に拘わらず、随時に開始することができ、読取り対象の写真フィルムのフィルム種やプリントサイズを指定した状態で操作卓４ｂ等から写真フィルムの読取り動作の開始を指示入力すると図３の処理が起動する。
図３の処理が開始されると、先ず、その写真フィルム１本分の読取り画像データを入力バッファメモリ２１に記憶するのに必要と推定される記憶容量を算出し（ステップ＃１）、画像処理装置５のメモリコントローラ２５に対して、算出した記憶容量の記憶エリアを入力バッファメモリ２１に確保するように要求する（ステップ＃２）。
【００２０】
この記憶容量の算出のために、主制御装置４は、写真フィルム１本分の画像データのデータ量を特定するための基礎情報として、フィルムスキャナ３における写真フィルムの搬送方向でのフィルムの長さの情報を、フィルム種毎に予め記憶保持している。
本実施の形態の写真プリントシステムでは、後述のように、この基礎情報の管理のために学習機能を有しており、写真プリントシステムＤＰでの写真フィルムの取扱い実績によって前記基礎情報が更新されて行く。
写真フィルムの読取り動作によって更新される前記基礎情報の初期値は、操作卓４ｂ等からの手動入力によって設定可能であり、通常は、写真プリントシステムＤＰを店舗に設置した際に、サービスマンがその店舗での写真フィルムの取扱い実績を鑑みて設定する。
具体的には、例えばＩＸ２４０フィルムのように写真フィルムの規格でフィルムの長さが決められているフィルム種については、その規格によって規定されている長さを前記基礎情報の初期値として入力し、例えば１３５フィルムのように写真フィルムの規格でフィルムの長さが決められていないフィルム種については、例えばその店舗での取扱い実績がほとんど２４枚撮りのフィルムであれば、その２４枚撮りのフィルムの長さを前記基礎情報として入力する。但し、同じ１３５フィルムでも、例えば６駒等に切断されたピースフィルムの場合は、そのフィルム種についての前記基礎情報の初期値としてそのピースフィルムの長さを入力する。
尚、前記基礎情報の初期値は、写真プリントシステムＤＰの稼働後においても設定可能であり、この前記基礎情報の初期値の設定によって、前記基礎情報の学習動作がリセットされることになる。
【００２１】
又、本実施の形態の写真プリントシステムＤＰでは種々のプリントサイズでの写真プリントの作製に対応しており、プリントサイズによって写真フィルムの搬送横幅方向での画像の画素数が異なるので、フィルムスキャナ３において、上述のように、プリントサイズに応じてラインセンサ上の像の大きさをズームレンズによって設定して、写真フィルムの搬送横幅方向における画像の画素数を設定している。又、これと連動する形で、プリントサイズに応じて、写真フィルムの搬送方向での読取り解像度（搬送方向でのスキャンラインの並びの密度）を設定している。
従って、確保すべき記憶容量の算出では、プリントサイズの情報も影響し、プリントサイズに応じた搬送横幅方向の画像の画素数と、読取り対象の写真フィルムのフィルム種を特定する入力情報によって読出した前記基礎情報（フィルムの長さの情報）と、プリントサイズに応じた写真フィルムの搬送方向での読取り解像度とから、必要な記憶容量の総量を算出する。
尚、前記基礎情報として、写真フィルムの長さ情報から各フィルム種の各プリントサイズ毎に記憶容量に換算した値を記憶保持しておくように構成しても良い。
【００２２】
メモリコントローラ２５では、主制御装置４から記憶エリアの確保を要求されると、入力バッファメモリ２１において未使用となっている記憶エリアにおいて、主制御装置４から要求された記憶容量を確保できるか否かを判別して、確保が可能であれば要求された記憶エリアを確保すると共に確保した旨を主制御装置４に報知し、未使用の記憶エリアの容量が要求された記憶容量に達しない場合は確保できなかった旨を主制御装置４に報知する。
【００２３】
主制御装置４は、要求した記憶エリアを確保できなかった旨をメモリコントローラ２５から報知されたときは（ステップ＃３）、指定された写真フィルムの読取りを行えない旨をモニタ４ａへ表示し（ステップ＃８）、要求した記憶エリアを確保できた旨をメモリコントローラ２５から報知されたときは（ステップ＃３）、フィルムスキャナ３へ写真フィルムの読取り指令を送信する（ステップ＃４）。この読取り指令には、フィルム種を特定する情報やプリントサイズを特定するための情報も含まれる。
上記の読取り指令を受け取ったフィルムスキャナ３は、所定の位置に写真フィルムが装填されるに伴って、写真フィルムを搬送駆動して読取りを開始し、読取った画像データを順次に画像処理装置５へ送っていく。又、この読取りのための写真フィルムの搬送開始に伴って、写真フィルムの長さ情報の検出を開始する。
尚、要求した記憶エリアを確保できなかった旨をメモリコントローラ２５から報知されたときに、ステップ＃８の表示を行わず、フィルムスキャナ３に写真フィルムをセットした状態で読取りを実行しないままで待機しておき、記憶容量が確保でき次第に読取り動作を行わせるようにしても良い。
【００２４】
フィルムスキャナ３から送り出された画像データは、画像処理装置５の送受信インターフェース２６を経て入力バッファメモリ２１へ順次に書込まれる。
主制御装置４は、フィルムスキャナ３から写真フィルム１本分の読取りと入力バッファメモリ２１への読取り画像データの書込みとが完了したことを示す信号を受け取ると（ステップ＃５）、メモリコントローラ２５に対して、先にステップ＃２で確保を要求した記憶エリアの中に、フィルムスキャナ３から送られてきた読取り画像データの記憶に使用されていない空きエリアが存在するか否かを問い合わせて（ステップ＃６）、そのような空きエリアが存在すれば未使用のメモリとして開放することを要求する（ステップ＃７）。
【００２５】
一方、フィルムスキャナ３の読取り画像データが入力バッファメモリ２１へ順次に送られているときに、フィルムスキャナ３から受け取る読取り画像データのデータ量をカウントしているメモリコントローラ２５が、受け取った画像データのデータ量がステップ＃２の要求に従って確保した記憶エリアの記憶容量を超えたのを検知して、１本分の写真フィルムの画像データのデータ量がステップ＃２で確保している記憶エリアの容量を超えることとなったときには、直ちに入力バッファメモリ２１への画像データの書込みを停止させて、確保した記憶エリアがオーバーフローすることを主制御装置４へ報知する。
確保を要求した記憶エリアがオーバーフローする旨の信号を受け取った主制御装置４は（ステップ＃９）、フィルムスキャナ３に対して、写真フィルムの搬送動作は維持して写真フィルムの長さ情報を取得するための処理動作は継続させると共に、ラインセンサの検出情報による画像の読取り処理は停止させるように指示を出す（ステップ＃１０）。
フィルムスキャナ３は、この指示を受け取ると、画像の読取りは停止するものの、写真フィルムの長さ情報の取得のための処理は継続して、１本分の写真フィルムの長さ情報の検出を完了したときに、その長さ情報を主制御装置４へ送信する。
【００２６】
主制御装置４は、フィルムスキャナ３から１本分の写真フィルムの長さ情報を受け取ると（ステップ＃１１）、その写真フィルムのフィルム種についての前記基礎情報として記憶保持しているデータをフィルムスキャナ３から受け取った長さ情報で更新する（ステップ＃１２）。
この後、メモリコントローラ２５に対して、先にステップ＃２で確保を要求した記憶エリアを未使用のエリアとして開放するように指示し（ステップ＃１３）、更に、モニタ４ａに、現在処理中の写真フィルムについては画像の取込みを再度実行する必要がある旨を表示して（ステップ＃１４）、ステップ＃１以降の処理を再度実行する。尚、ステップ＃１４のモニタ表示を省略して、自動的に写真フィルムの再スキャンが実行されるようにしても良い。
ステップ＃１以降の処理が再度実行されることによって、更新された前記基礎情報によって入力バッファメモリ２１の記憶エリアが確保され、フィルムスキャナ３にて再度読取られた写真フィルム１本分の画像データがその記憶エリアに記憶保持される。
【００２７】
上述の図３を処理を繰り返し起動させることで、必要な記憶容量以上の空き容量が入力バッファメモリ２１に存在する限り、画像処理装置５の処理状況に拘わらず、繰り返して複数本の写真フィルムの読取り作業を行うことができ、更に、主制御装置４が記憶保持する前記基礎情報が、写真フィルムの取扱い実績に応じて適切な値に学習されることになる。
以上から、主制御装置４と画像処理装置５のメモリコントローラ２５とは、入力バッファメモリ２１（メモリＭＥ）への画像データの記憶動作を管理する記憶動作管理装置ＭＭとして機能している。
【００２８】
次に、図４の処理について説明する。
図示を省略する初期画面がモニタ４ａに表示された状態で、プリント処理するオーダー（写真フィルム１本に対応）を指定してプリント処理の開始を指示すると、図４の処理が起動する。
先ず、メモリコントローラ２５に対して、入力バッファメモリ２１に記憶保持されている指定されたオーダーの画像データについて、縮小画像生成回路２４にて生成した縮小画像を送出するように要求する（ステップ＃２１）。
画像処理装置５では、１本の写真フィルムから各駒画像を切り出した後、その切り出した駒画像の縮小画像を縮小画像生成回路２４にて生成しており、更に、写真フィルム１本分の画像データから求まる画像の濃度補正値も加味した上で各駒画像の濃度補正値を求めている。
主制御装置４からステップ＃２１の要求を受け取った画像処理装置５は、６駒分の画像の縮小画像を主制御装置４へ送出する。このとき、各駒画像の濃度補正値も併せて主制御装置４へ送られる。もちろん、写真フィルム１本分の駒画像全ての縮小画像をまとめて主制御装置４へ送り、主制御装置４側で、写真フィルム１本分の画像データも考慮した各駒画像の濃度補正値を求めるようにしても良い。
主制御装置４は、縮小画像生成回路２４にて生成された６駒分の縮小画像を受け取ると（ステップ＃２２）、その縮小画像を用いて、図５に例示するような補正入力画面をモニタ４ａに表示させる（ステップ＃２３）。
【００２９】
図５の補正入力画面では、受け取った縮小画像に対して補正処理を実行した画像をＳ１〜Ｓ６の６つ縮小画像表示エリアに表示すると共に、各縮小画像表示エリアに対応して、前記画像処理条件の一部である画像の色補正を指示入力するための色補正値入力欄５１を表示し、更に、表示された６駒についてプリントの開始を指令するスタートボタン表示５２等が表示される。
Ｓ１〜Ｓ６の６つ縮小画像表示エリアに表示される画像に適用される補正処理の処理条件は、フィルムスキャナ３にセットされた写真フィルムの種類に対して予め設定されている画像処理条件（前記濃度補正値による補正を含む）であり、画像処理装置５において実行されるものと同等の画像処理を縮小画像に対して実行している。これによって、Ｓ１〜Ｓ６の６つ縮小画像表示エリアには、仕上がりプリントをシミュレートしたシミュレート画像が表示されることになっている。
【００３０】
図５の補正入力画面上で、いずれかの画像を選択した状態で、操作卓４ｂから色補正値を入力操作すると（ステップ＃２４）、選択した画像の色補正値入力欄５１の表示値がその入力値に更新される（ステップ＃２５）。
このような操作を、画面上の６駒について全て完了して、マウス４ｃ等にてスタートボタン表示５２を操作すると（ステップ＃２６）、表示されている各画像についての画像処理条件が確定することになり、その画像処理条件を画像処理装置５の補正処理回路２２へ送出して、画像処理条件が確定した各画像についてプリント処理させるように指示し（ステップ＃２７）、更に、メモリコントローラ２５に対して、その６駒の画像を入力バッファメモリ２１から読出して補正処理回路２２への送出が完了次第に、その６駒の画像を記憶保持していた記憶エリアを未使用の記憶エリアとして開放するように指示する（ステップ＃２８）。
この後、１オーダーの画像について全て完了するまで（ステップ＃２９）、後続の６駒について上述の操作を繰り返す。
画像処理装置５の補正処理回路２２では、主制御装置４から送られてきた画像処理条件にて入力バッファメモリ２１から受け取った画像データの画像処理を実行し、画像処理の完了した画像データは出力バッファメモリ２３へ書込まれ、更に、プリント装置ＥＰへ送られて印画紙２へプリント処理される。
【００３１】
〔別実施形態〕
以下、本発明の別実施形態を列記する。
（１）上記実施の形態では、画像出力装置ＩＰとしてプリント装置ＥＰを例示しているが、画像データの出力処理の処理形態は種々に変更可能であり、例えば、画像データを各種の記録媒体へ書込み処理する書込み装置を画像出力装置ＩＰとして用いても良い。
（２）上記実施の形態では、画像処理装置５として、フィルムスキャナ３の読取り画像データを画像処理する専用の装置として備える場合を例示しているが、画像処理装置５の機能を主制御装置４においてソフトウェア処理にて実現するように構成しても良い。
この場合は、主制御装置４のメインメモリを写真フィルムの読取り画像を記憶保持させるためのメモリＭＥとして利用できる。
（３）上記実施の形態では、フィルムスキャナ３において、写真フィルムの長さ情報を検出するために、写真フィルムの搬送長を測定する場合を例示しているが、例えば、写真フィルムを定速で搬送駆動して、その搬送時間から長さ情報を取得する等、写真フィルムの長さ情報を取得するための手段は種々に変更可能である。
【図面の簡単な説明】
【００３２】
【図１】本発明の実施の形態にかかる要部ブロック構成図
【図２】本発明の実施の形態にかかる写真処理装置の概略構成図
【図３】本発明の実施の形態にかかるフローチャート
【図４】本発明の実施の形態にかかるフローチャート
【図５】本発明の実施の形態にかかるモニタの画面表示例を示す図
【符号の説明】
【００３３】
５    画像処理装置
ＦＲ  フィルム読取り装置
ＩＭ  入力操作手段
ＩＰ  画像出力装置
ＭＥ  メモリ
ＭＭ  記憶動作管理装置
【図１】
2006186460.tif 000003
【図２】
2006186460.tif 000004
【図３】
2006186460.tif 000005
【図４】
2006186460.tif 000006
【図５】
2006186460.tif 000007